(57)【要約】【課題】小物を出し入れするのが非常に容易な携行収容具を提供する。【解決手段】少なくとも四つの角部と裏表二つの面とを有する基礎部材５と、該基礎部材の一方の面上に設けられ且つ小物を収容可能な収容部材４とを備える収容本体２を具備し、前記収容部材４が小物を出し入れするための開口部６を有する携行収容具において、前記基礎部材の角部９のうちの収容部材の開口部に近接する二つの角部に第一ベルト部材１０が取り付けられ、前記基礎部材のうちの前記角部とは異なる二つの角部に第二ベルト部材１１が取り付けられ、第一ベルト部材の長さは第二ベルト部材の長さよりも長く、これら第一ベルト部材および第二ベルト部材を身体の異なる部位に巻き付けることで、前記収容本体が身体に密着した状態で支持される。【選択図】      図１
2004209007.tif 000002
【特許請求の範囲】
【請求項１】
少なくとも四つの角部と裏表二つの面とを有する基礎部材と、該基礎部材の一方の面上に設けられ且つ小物を収容可能な収容部材とを備える収容本体を具備し、前記収容部材が小物を出し入れするための開口部を有する携行収容具において、
前記基礎部材の角部のうちの収容部材の開口部に近接する二つの角部に第一ベルト部材が取り付けられ、前記基礎部材のうちの前記角部とは異なる二つの角部に第二ベルト部材が取り付けられ、第一ベルト部材の長さは第二ベルト部材の長さよりも長く、これら第一ベルト部材および第二ベルト部材を身体の異なる部位に巻き付けることで、前記収容本体が身体に密着した状態で支持されることを特徴とする携行収容具。
【請求項２】
前記基礎部材はシート状またはプレート状の部材であり、前記第一ベルト部材および第二ベルト部材の長さは、前記第一ベルト部材の一部を腰部よりも上方に巻き、前記第二ベルト部材を大腿部に巻き付けることによって該基礎部材の前記一方の面の反対側の面が大腿部に密着するような長さである請求項１に記載の携行収容具。
【請求項３】
前記第一ベルト部材が取り付けられた基礎部材の角部と前記第二ベルト部材が取り付けられた基礎部材の角部との間の距離は、膝関節と股間接との間の距離よりも短い請求項２に記載の携行収容具。
【請求項４】
前記基礎部材は、四つの角部を有する星形状である請求項１から３のいずれか１項に記載の携行収容具。
【請求項５】
前記第一ベルト部材および基礎部材は、当該携行収容具を身体に装着したときに、前記第一ベルト部材が下腹部および臀部を斜めに通るように形成される請求項１または２に記載の携行収容具。
【請求項６】
前記収容部材の開口部には、開口部を閉鎖するための開口部閉鎖手段が設けられる請求項１から５のいずれか１項に記載の携行収容具。
【発明の詳細な説明】
【０００１】
【発明の属する技術分野】
本発明は、物品を収容しつつユーザが保持可能または携行可能な携行収容具に関する。
【０００２】
【従来の技術】
外出時や旅行時、あるいは様々な作業を行う時には、手を使って様々な作業を行えることが好ましい。したがって、外出時、旅行時、様々な作業を行う時に携行する必要がある様々な小物を収容するための収容具は、手で持つ必要のないものが必要とされている。このような収容具として、例えばユーザの背中に保持されるリュックサックが考えられるが、リュックサックは装着したままその中の小物を取り出すのが困難であるという問題がある。
【０００３】
このような問題を解決するものとして、腰部に巻き付けられたベルトに取り付けられる取付部を上方に有し且つ大腿部に巻き付けられるベルトを下方に有する携行収容具が存在する（特許文献１参照）。このような携行収容具では、装着したまま携行収容具内に小物を出し入れするのが容易であり、出し入れに際して携行収容具を取り外す必要が無い。
【０００４】
【特許文献１】
特開２００２−１１６８４１号公報
【０００５】
【発明が解決しようとする課題】
ところで、上記特許文献１に開示されている携行収容具では、腰部に巻き付けられたベルトに取り付けられた取付部は、一本の紐状のベルト固定バンドから形成される。このようなベルト固定バンドで小物を収容するためのケースをつり下げた場合、ケースやベルト固定バンドが比較的固い材料で形成されていないとケースの開口部（ケースに小物を出し入れする部分）が歪んでしまう。すなわち、ケースやベルト固定バンドが柔らかい材料で形成されていると、開口部は場合によっては閉じられた状態となってしまい、この開口部を開くために片手を使い、さらにケース丙に小物を出し入れするのに他方の手を使う必要があり、結果的にケース内に小物を出し入れするのに両手を使わなければならなくなってしまう。
【０００６】
さらに、特許文献１に開示されている携行収容具では、ケースが腰の側部に取り付けられるため、ケースから遠い方の手でケースに触れるためには体を折り曲げなくてはならなくなってしまうため、ケースに小物を出し入れするのに非常に不便である。
【０００７】
そこで、本発明は、上述したような不便を解消して、小物を出し入れするのが非常に容易な携行収容具を提供することを目的とする。
【０００８】
【課題を解決するための手段】
前記目的を達成するために、請求項１では、少なくとも四つの角部と裏表二つの面とを有する基礎部材と、該基礎部材の一方の面上に設けられ且つ小物を収容可能な収容部材とを備える収容本体を具備し、前記収容部材が小物を出し入れするための開口部を有する携行収容具において、前記基礎部材の角部のうちの収容部材の開口部に近接する二つの角部に第一ベルト部材が取り付けられ、前記基礎部材のうちの前記角部とは異なる二つの角部に第二ベルト部材が取り付けられ、第一ベルト部材の長さは第二ベルト部材の長さよりも長く、これら第一ベルト部材および第二ベルト部材を身体の異なる部位に巻き付けることで、前記収容本体が身体に密着した状態で支持される。
【０００９】
請求項１では、収容部材の開口部に近接する二つの角部に第一ベルト部材が取り付けられ、この第一ベルト部材が身体に巻き付けられることによって、収容部材の開口部が開かれるように携行収容具がユーザに支持される。したがって、携行収容具を比較的柔らかい材質で製造しても、開口部は常に開いた状態で維持されるため、収容部材に容易に小物を出し入れすることができる。また、収容本体が身体に密着した状態で支持されるため、収容部材に小物を出し入れするときに収容本体が身体から離れることが防止される。このことによっても、収容部材に容易に小物を出し入れすることができる。
【００１０】
また、このような携行収容具ではデザインの一部として素材が非常に重要であるが、従来では携行収容具を比較的固い材料で製造しなければならかったため携行収容具を形成する際に選択可能な材料が制限されており、所望の素材で携行収容具を形成することができなかった。これに対して、本発明の携行収容具では、携行収容具を比較的柔らかい素材で製造することができるため、携行収容具を形成する材料の選択範囲が広くなり、様々な素材を用いることができるようになる。
【００１１】
請求項２では、請求項１において、前記基礎部材はシート状またはプレート状の部材であり、前記第一ベルト部材および第二ベルト部材の長さは、前記第一ベルト部材の一部を腰部よりも上方に巻き、前記第二ベルト部材を大腿部に巻き付けることによって該基礎部材の前記一方の面の反対側の面が大腿部に密着するような長さである。
【００１２】
請求項２によれば、収容本体が大腿部に密着するように支持されることにより、腕を伸ばした位置に収容本体、特に収容部材が支持されるため、収容部材内に収容された小物を容易に出し入れすることができる。その一方で、ユーザが本携行収容具を装着して歩行した場合に、収容部材が手の邪魔になることは無い。
【００１３】
また、上記特許文献１に記載の携行収容具では、腰部に巻かれたベルトからつり下げられるベルト固定バンドが比較的固い材料で形成されると、ユーザが着座する際、すなわち股関節が曲がったときにベルト固定バンドが無理な変形を強いられるので、ユーザが不快感を感じることが多かった。これに対して請求項２の発明の携行収容具を装着したユーザが着座するときには、第一ベルト部材および第二ベルト部材共に無理な変形を強いられることがないため、ユーザが不快感を感じることが無い。
【００１４】
さらに、大腿部に収容本体が密着するように収容本体を支持する場合には二つのベルト部材を共に大腿部に巻き付けることも考えられる。ところが、このように二つのベルト部材を取り付けた場合、これら二つのベルト部材をきつく大腿部に巻き付けなければ、収容本体が落下してしまう。あるいは、収容本体が落下しないまでも、収容本体を柔らかい材料で形成し且つベルト部材が所定の位置からずれたりして、収容本体の収容部材が狭くなったり、収容部材内に小物を出し入れするのが困難になったりしてしまう。しかしながら、これら二つのベルト部材をきつく大腿部に巻き付けると、ユーザは大きな不快感を感じることになる。これに対して、請求項２の発明では、第一ベルト部材を比較的緩く腰部上方に巻き付けても収容本体が落下したり、収容部材が狭くなったり、収容部材内に小物を出し入れするのが困難になったりしてしまうことは無く、さらにユーザが不快感を感じることもない。
【００１５】
請求項３では、請求項２において、前記第一ベルト部材が取り付けられた基礎部材の角部と前記第二ベルト部材が取り付けられた基礎部材の角部との間の距離は、膝関節と股間接との間の距離よりも短い。
【００１６】
例えば、収容本体が大腿部側方から腰部側方まで延びるように形成されている場合、ユーザが歩行する等して大腿部が動くと、収容本体と大腿部との間または収容本体と腰部との間で摩擦が起き、ユーザが不快感を感じるばかりか、摩擦によってユーザが着ている服が傷んでしまう。これに対して、請求項３によれば、収容本体は大腿部側方に収まるような大きさであるため、収容本体は、ユーザが歩行する等して大腿部が動いた場合に、大腿部の動きに合わせて大腿部に密着したまま支持される。よって、請求項３の携行収容具では、収容本体と大腿部との間に摩擦が起きず、よってユーザが不快感を感じたり、服が傷んでしまうことが防止される。
【００１７】
請求項４では、請求項１から３のいずれか１項において、前記基礎部材は、四つの角部を有する星形状である。
請求項４では、基礎部材を星形状であり、その各先端部、すなわち角部に第一ベルト部材および第二ベルト部材の端部が連結される。これにより、例えば基礎部材が矩形である場合に比べて基礎部材が身体に密着しやすくなる。
【００１８】
請求項５では、請求項１または２において、前記第一ベルト部材および基礎部材は、当該携行収容具を身体に装着したときに、前記第一ベルト部材が下腹部および臀部を斜めに通るように形成される。
請求項５によれば、携行収容具を装着したときに、第一ベルト部材が下腹部および臀部を斜めに通ることで、人間の眼に対する視覚効果により、下腹部および臀部が小さくみえる。特に、女性が請求項５の携行収容具を装着した場合、下腹部および臀部が小さく見えることによりその女性がより美しく見えるようになるという効果がある。
【００１９】
請求項６では、請求項１から５のいずれか１項において、前記収容部材の開口部には、開口部を閉鎖するための開口部閉鎖手段が設けられる。
開口部閉鎖手段としては、例えば、チャックやボタンのように開口部の縁部同士を連結することによって開口部を閉鎖することの他に、蓋のように他の部材によって開口部を閉鎖することが挙げられる。
【００２０】
【発明の実施の形態】
以下、図面を参照して本発明の携行収容具の実施形態について説明する。図１〜図３に示したように、本発明の携行収容具１は、収容部材４と基礎部材５とを備える収容本体２と、この収容本体２を身体の所定の位置に支持するための支持手段３とを具備する。収容部材４は、それぞれ開口部６を有する少なくとも一つの袋状収容部を具備し、袋状収容部内に小物を収容することができる。特に、本実施形態では、収容部材４は、第一開口部６ａを有する第一袋状収容部７ａと、第二開口部６ｂを有する第二袋状収容部７ｂとを有する。これら開口部６には開口部６を閉鎖するための開口部閉鎖手段８が設けられ、この開口部閉鎖手段８を開いた状態で収容部材４内に小物を挿入することができ、開口部閉鎖手段を閉じた状態にすると収容部材４内に収容された小物が収容部材４から外部へ放出されることが防止される。特に、本実施形態では、開口部閉鎖手段として、第一開口部６ａにはチャック８ａが、第二開口部６ｂには蓋８ｂが設けられている。なお、以下では、収容部材４に対して開口部６が設けられている方向Ａを上方、この方向Ａに対して反対の方向Ｂを下方と称するが、収容本体２の向きを限定するものではない。
【００２１】
収容部材４は基礎部材５の一方の面（以下、「部材取付面」と称す）上に取り付けられている。あるいは、収容部材４の一部が基礎部材５によって形成されていてもよい。基礎部材５は、本実施形態では四つの角部分９を有する星形のシート状部材であるが、四つ以上の角部分があれば他の形状であってもよい。また、収容部材４は図１のように携行収容具１を見たときに基礎部材５内に収まるような大きさである。
【００２２】
支持手段３は、図４に示したように基礎部材５の部材取付面とは反対側の面が、本発明の携行収容具１を保持するユーザの大腿部２４に密着するように収容本体２を支持する（以下、大腿部に密着する基礎部材５の面を「大腿部密着面」と称す）。具体的には、支持手段３は少なくとも二本のベルト部材１０、１１を具備し、各ベルト部材１０、１１の両端はそれぞれ基礎部材５の別の位置に、例えば基礎部材５に形成された各角部９に取り付けられる。一方のベルト部材１０の長さは、他方のベルト部材１１よりも長い。長い方のベルト部材（以下、「長ベルト部材」と称す）１０の両端は、基礎部材５の上方に位置する二つの角部９にそれぞれ取り付けられ、短い方のベルト部材（以下、「短ベルト部材」と称す）１１の両端は、基礎部材５の下方に位置する二つの角部９にそれぞれ取り付けられる。
【００２３】
長ベルト部材１０の一部はユーザの身体２０のくびれ部（臍辺りの高さにおける胴回りの部位、または最も胴回りの長い腰部の位置２２よりも上方の部位）２１に巻き付けられる。より詳細には、実際の使用時に、図２に示したように、ユーザが起立状態にあるときに、身体２０のくびれ部２１に長ベルト部材１０の中央部が位置し、こうすることで長ベルト部材１０は腰部２２の出っ張りにより腰部２２よりも下方に落下することが無いように支持される。また、このように長ベルト部材１０が支持されることにより、長ベルト部材１０に取り付けられた収容本体２も落下することの無いように所定の位置で支持される。すなわち、収容本体２およびその中に収容された小物の重さにより長ベルト部材１０の中央部（身体２０のくびれ部２１に密着している部分）には、落下方向Ｃに働く力に加えて落下方向とは垂直に身体の中央に向かう力（以下、「向心力」と称す）Ｄが働く。通常、くびれ部２１では下方に進むにつれて、すなわち腰部２２に近づくにつれて身体の外周の長さが長くなるため、長ベルト部材１０の中央部に向心力と反対方向の力が加わらない限り長ベルト部材１０が腰部２２の下方へと落下してしまうことはない。したがって、長ベルト部材１０の中央部はくびれ部２１に保持される。
【００２４】
一方、短ベルト部材１１は身体２０の大腿部２３に巻き付けられる。具体的には、図２に示したように、短ベルト部材１１は、膝関節２５に近接し且つ膝関節２５よりも上方の大腿部２４の領域に巻き付けられる。
【００２５】
このように、長ベルト部材１０および短ベルト部材１１の長さは、長ベルト部材１０の一部をくびれ部２１に巻き且つ短ベルト部材１１を大腿部２４に巻くと基礎部材５の大腿部密着面が大腿部２４の側方（すなわち、股間側とは反対側の大腿部２３の部分）に密着するような長さになっている。これにより、長ベルト部材１０を比較的緩くくびれ部２１に巻き付けても、収容本体２は大腿部２３に密着した状態で支持されるので、収容本体２がユーザの歩行時等に手の邪魔になることがない。また、長ベルト部材１０は、長ベルト部材１０の端部が接続された基礎部材５の角部９を長ベルト部材１０が延びる方向に引っ張るため、基礎部材５の上部は左右に引っ張られ、よって開口部閉鎖部材８によって収容部材４の開口部６が閉じられていなければ開口部６は開かれ、収容部材４内に小物を出し入れするのが容易になる。
【００２６】
また、収容本体２の基礎部材５は、ユーザが起立状態にあるときに、その上部１２が股関節２３（体幹（胴体）と下肢（脚）のつなぎ目）よりも下方に位置し、その下部１３が膝関節２５よりも上方に位置するような大きさである。そして、基礎部材５は、上記両ベルト部材６、７によって大腿部２３の側方に密着せしめられ、ユーザの歩行時や着座時等にも大腿部２３の側方から離れることは無い。また、大腿部２３は、股関節や腰部と違って曲がることが無いため、基礎部材５の大腿部密着面と身体とが相対的に動くことは無く、よって基礎部材５と身体との間に摩擦が起こることは無い。
【００２７】
さらに、上述したように長ベルト部材１０を巻くと、長ベルト部材１０はその一部が身体の下腹部および臀部を斜めに通る。このように、長ベルト部材１０が下腹部および臀部を斜めに通ることで、人間の眼に対する視覚効果により、下腹部および臀部が小さくみえるようになる。
【００２８】
なお、携行収容具１を構成する各部材４、５、１０、１１は、皮革、合皮、布、等、通常の携行収容具、バッグ、ケース等に用いられる如何なる材料から作られていてもよく、材料の固さに関する制限を受けない。さらに、ベルト部材１０、１１は、チェーン等、金属材料から形成されてもよい。また、上述した小物には、財布、化粧用具、携帯端末機器等、通常外出時に必要な物品、またははさみ、クシ等の散髪用具や、金槌等の大工用具等の特定の作業を行うのに必要な道具である。
【００２９】
【発明の効果】
請求項１によれば、開口部が常に開いた状態で支持されることおよび収容本体が身体から離れることが防止されることにより収容部材に非常に容易に小物を出し入れすることができる。また、携行収容具を比較的柔らかい材料で形成することができるため、携行収容具を形成するのに様々な材料を使用することができる。
【００３０】
請求項２によれば、ユーザが携行収容具を装着して歩行したときに収容部材が手の邪魔になることが防止される。また、ベルト部材に無理な力が加わることが無く且つベルト部材をきつく締め付ける必要が無いため、ユーザが不快感を感じることが防止される。
【００３１】
請求項３によれば、ユーザの身体と収容本体との間で摩擦が起きてしまうことが無いため、ユーザが不快感を感じることや服が傷んでしまうことが防止される。
【００３２】
請求項５によれば、人間の眼に対する視覚効果により、携行収容具を装着したユーザの下腹部および臀部が小さく見えるようになる。
【図面の簡単な説明】
【図１】本発明の携行収容具の正面図である。
【図２】本発明の携行収容具の側面図である。
【図３】本発明の携行収容具の背面図である。
【図４】本発明の携行収容具を装着した状態を示す図である。
【符号の説明】
１…携行収容具
２…収容本体
３…支持部分
４…収容部材
５…基礎部材
６…開口部
８…開口部閉鎖手段
９…角部
１０…長ベルト部材
１１…短ベルト部材
【図１】
2004209007.tif 000003
【図２】
2004209007.tif 000004
【図３】
2004209007.tif 000005
【図４】
2004209007.tif 000006